(57)【要約】  デジタルライトプロジェクションシステム（１０）において、表示面（１２）上の可動物理的アイコンの位置を求める方法について開示する。当該方法は、可視画像を生成するために表示面（１２）に変調光を投影することと、及び可視画像を含む表示面（１２）に、可視画像が目立って劣化しないように識別可能な光信号を投影することと、を含む。識別可能な光信号は物理的アイコンによって表示面（１２）上で受信可能である。【選択図】図１
2008500587.tif 000002
【特許請求の範囲】
【請求項１】
デジタルライトプロジェクションシステム（１０）において、表示面（１２）上の可動物理的アイコンの位置を求める方法であって、
可視画像を生成するために前記表示面（１２）に変調光を投影するステップと、
前記可視画像を含む前記表示面（１２）に、該可視画像が目立って劣化しないようにして識別可能な光信号を投影するステップであって、該識別可能な光信号は前記物理的アイコンによって受信可能である、ステップと、
を含む、方法。
【請求項２】
前記識別可能な光信号が、一意の周波数、一意のデューティサイクル、一意の位相、一意の振幅、及び一意の色のうちの１つによって識別可能である、請求項１に記載の方法。
【請求項３】
前記識別可能な光信号が、前記表示面（１２）上に前記可視画像を部分的に生成するために使用される色信号の代わりに、或る期間に前記表示面（１２）上の画素に投影される、請求項１に記載の方法。
【請求項４】
前記識別可能な光信号が、信号伝達期間中に所与の画素に対して生成され、前記画素の所望の色の色調がデータ期間中に生成され、前記信号伝達期間及び前記データ期間は、カラーホイールの１つの色が光源の正面を１回通過する間に逐次発生する、請求項１に記載の方法。
【請求項５】
前記識別可能な光信号が、前記表示面（１２）上の画素の列に同時に投影され、且つ前記識別可能な光信号は、前記表示面（１２）上の画素の行に同時に投影され、前記識別可能な光信号は、該識別可能な光信号が前記画素の行に投影される時とは異なる時に前記画素の列に投影される、請求項１に記載の方法。
【請求項６】
前記表示面（１２）上の画定された領域内で、前記画素の列の各々に対し前記識別可能な光信号を列毎に逐次投影するステップと、
前記表示面（１２）上の画定された領域内で、前記画素の行の各々に対し前記識別可能な光信号を行毎に逐次投影するステップと
をさらに含む、請求項１に記載の方法。
【請求項７】
前記物理的アイコンがフィードバック信号を生成することになった前記列及び前記行に基づいて前記表示面（１２）上の前記物理的アイコンの物理的な位置を特定するステップをさらに含む、請求項６に記載の方法。
【請求項８】
デジタルライトプロジェクションシステム（１０）において、表示面（１２）上の可動物理的アイコンの位置を求める方法であって、
可視画像を生成するために前記表示面（１２）に変調光を投影するステップと、
前記可視画像を含む前記表示面（１２）に、該可視画像が目立って劣化しないようにして識別可能な光信号を投影するステップであって、該識別可能な光信号は前記物理的アイコンによって受信可能である、ステップと、
を含み、
前記識別可能な光信号は、前記表示面（１２）上の画定された領域内で、前記画素の列の各々に対し列毎に逐次投影され、
前記識別可能な光信号は、前記表示面（１２）上の画定された領域内で、前記画素の行の各々に対し行毎に逐次投影される、方法。
【請求項９】
表示面（１２）上の可動物理的アイコンの位置を求めるシステムであって、
デジタル光変調器と、
前記デジタル光変調器に対し、前記表示面（１２）に可視画像を投影させ、該可視画像を含む前記表示面（１２）に識別可能な光信号を投影させるように構成されたコントローラ（１４）であって、前記識別可能な光信号は前記可視画像を著しく劣化させない、コントローラ（１４）と、
を備え、
前記コントローラ（１４）は、さらに、前記デジタル光変調器に対し、前記表示面（１２）の領域の各列の画素に前記識別可能な光信号を列毎に投影させ、且つ前記表示面の領域の各行の画素に前記識別可能な光信号を行毎に投影させるように構成される、システム。
【請求項１０】
表示面（１２）上の可動物理的アイコンの位置を求めるシステムであって、
前記表示面（１２）に変調光を投影する手段と、
前記投影する手段に対し、前記表示面（１２）上の画素の列に識別可能な光信号を列毎に投影させ、且つ前記投影手段に対し、前記表示面（１２）上の画素の行に前記識別可能な光信号を行毎に投影させる手段であって、前記識別可能な光信号は、可視画像を含む前記表示面（１２）に、前記識別可能な光信号が前記可視画像を著しく変化させないようにして投影される、手段と、
を備えている、システム。
【発明の詳細な説明】
【背景技術】
【０００１】
デジタルライトプロジェクション（Digital light projection）（「ＤＬＰ」）システムは、住宅環境及び商業環境を含むさまざまな状況において人気を得ている。たとえば、デジタルライトプロジェクションシステムは、表示面にテレビ番組、動画及びコンピュータグラフィックスを表示するためにより一般的に使用されている。投影システムには、「前面投影」システムもあれば、「背面投影」システムもある。「背面投影」システムは、透過表示面の背面にデジタル画像を投影し、画像は、人が表示面の前面から見る。
【０００２】
コンピュータ又は他の電子コントローラによって生成される画像及びグラフィックスを表示するために、背面デジタルライトプロジェクションシステムが使用される場合がある。たとえば、従来ＣＲＴ及びフラットスクリーンモニタに表示されていたコンピュータ画像及びグラフィックスを、背面デジタルライトプロジェクションシステムを使用して透過表示面に表示することができる。コンピュータゲーム、コンピュータアプリケーション及びさまざまな対話型ビデオアプリケーション等、アプリケーションによっては、透過表示面と接触する分離した（可動）物体（「物理的アイコン（icon）」）を有することができ、システムコンピュータ又はコントローラがその物理的アイコンと通信することができることが有用である。たとえば、表示面上の１つ又は複数の物理的アイコンの位置又は場所を正確に求めることができることが望ましい場合がある。ゲームの状況で背面投影表示システムが使用される一例としてのアプリケーションでは、ゲームピースの形態の分離した物理的アイコンを、システムの表示面の上に配置してもよく、分離したゲームピースとゲームを実行しているコントローラとの間の対話を容易にするために、コントローラ又はコンピュータは、画像表面上のゲームピースの位置を求めることができることが望ましい。
【０００３】
これまで、ラスタスキャンプロジェクションシステム（従来のテレビシステムで一般的）の表示面上で分離した物理的アイコンの位置を特定する技法は存在した。ラスタスキャンシステムでは、センサを有する分離した物理的アイコンが、ラスタスキャンシステムの水平同期信号及び垂直同期信号に対する物理的アイコンの検知された場所の水平位相及び垂直位相を検出する。しかしながら、ＤＬＰシステムは、ラスタ方式で画像を投影しない。このため、ラスタシステムに関連して従来使用されていた技法を使用してＤＬＰシステムの画像表面上の物理的アイコンの位置を特定することは不可能である。
【０００４】
以下説明する実施形態は、この状況及び既存のシステムに関連する欠点に鑑みて開発された。
【０００５】
ここで、本発明を、例として添付図面を参照して説明する。
【発明を実施するための最良の形態】
【０００６】
（詳細な説明）
デジタルライトプロジェクション（ＤＬＰ）システムの表示面上の分離した物理的アイコンの位置を求めるシステム及び方法について開示する。本システムは、ＤＬＰと、ガラス又はプラスチックスクリーン等の表示面と、コンピュータ又は電子コントローラとを含む。ＤＬＰは、コンピュータ又はコントローラによって提供される制御信号に応じて表示面上にデジタル画像を投影する。各画像は、多数の画素、通常は何百万もの画素から構成される。分離した物理的アイコンは、表示面上に配置されるが、ユーザが表示面にわたって独立して移動させることができる。物理的アイコンは、光受信機及び或る種の送信機を含む、ポインティングデバイス、ゲームピース、コンピュータマウス等、さまざまな形態をとってもよい。
【０００７】
ＤＬＰは、表示面に一続きの可視画像（フレーム）を逐次投影することにより、映画ビデオ、ビデオゲーム、コンピュータグラフィックス、インターネットウェブページ等、連続的な動画又はグラフィックスを生成する。ＤＬＰはまた、可視画像の間に散在されるサブリミナル光信号も投影する。サブリミナル信号は、人間の目には見えない。しかしながら、物理的アイコン内の光受信機は、符号化されたサブリミナル光信号を受信する。このように、コンピュータ又はコントローラは、ＤＬＰ及び表示面を介して光信号の形態で物理的アイコンに情報を通信することができる。表示面上の１つ又は複数の物理的アイコンの物理的な位置を求めるために、コントローラは、さまざまな方法（後に詳細に説明する）を使用して１つ又は複数の一意の位置特定信号を表示面に送信する。物理的アイコンは、位置特定信号を受信すると、コンピュータ又はコントローラに一意のフィードバック信号を（さまざまな技法及びメカニズムを使用して）送信し、コントローラと特定の物理的アイコンとの間の「ハンドシェイク」を有効に確立することができる。一意のフィードバック信号の結果として、コントローラは、物理的アイコンの各々が表示面のどこに位置しているかを知る。コンピュータ又はコントローラが、表示面上の種々の物理的アイコンがどこに位置しているかを知ると、コントローラと物理的アイコンとの間の通信を確立することを含む、さまざまな動作を行うことができる。
【０００８】
ここで図１を参照すると、一実施形態による対話型表示システム１０が示されている。この特定の実施形態では、対話型表示システム１０は、「テーブル」として具現化されるものとして示されており、透明なテーブルトップが表示面１２として機能する。このように、複数のユーザ又はプレイヤが、テーブルの周囲に座ることによって表示面１２を見てそれにアクセスすることができる。しかしながら、物理的な実施形態は、「テーブル」以外の多くの形態をとることができる。デジタルライトプロセッサ（ＤＬＰ）（図１には示さず）とコントローラ（図１には示さず）とは、協働して、後により詳細に説明するように表示面１２上にデジタル光画像を生成する。表示面１２は、ガラス又はプラスチック等、透明面又は半透明面であり、そのため、デジタル光画像はそれを通して投影されることが可能である。表示面１２上に、１つ又は複数の分離した物理的アイコンＤ1、Ｄnが配置される。分離した物理的アイコンＤ1、Ｄnは、ユーザが独立して移動させることが可能である。図１には、大型の垂直スクリーンにデジタル光画像を同時に表示するために使用することができる補助プロジェクタ３０、磁気又は光ディスクドライブ等の記憶媒体２８、並びにスピーカ２６等、システムのいくつかのさらなる任意の特徴が示されている。
【０００９】
図２は、図１の対話型表示システム１０に含まれるコントローラ１４、ＤＬＰ１６及び表示面１２を概略的に示す。ＤＬＰ１６を、コントローラ１４からの制御信号に応じて表示面１２上にデジタル光画像を生成するように構成されるよう、対話型表示装置１０内に収容することができる。ＤＬＰ１６は、光源１８、回転カラーホイール２０、デジタルマイクロミラーデバイス（ＤＭＤ）２２及びレンズ系２４を含む。当業者には既知であるように、光源１８は、回転カラーホイール２０を通してＤＭＤ２２上に光を投影する。図４は、一例としての回転カラーホイール２０を示し、これは、本実施形態では４つの異なる光の四分円、すなわち白、赤、緑及び青を有する。ＤＭＤは、着色光を変調し、着色光は、レンズ系２４を通して反射されることにより表示面１２上にカラーデジタル画像を生成する。コントローラ１４は、表示面１２上に、コンピュータグラフィックス、映画ビデオ、ビデオゲーム、インターネットウェブページ等の所望の画像を生成するように、ＤＭＤ２２の動作を制御する。ＤＭＤ２２はまた、コントローラ１４からの制御信号に応じて表示面１２にサブリミナル光信号を投影する。物理的アイコンＤ1、Ｄnは、後により詳細に説明するように、サブリミナル光信号を受信し、コントローラ１４に応答フィードバック信号を提供する。コントローラ１４は、ＤＬＰに画像信号を提供することができるパーソナルコンピュータ、マイクロプロセッサ又は他の電子デバイス等、いくつかの形態をとることができる。
【００１０】
図３に、説明した実施形態で使用される一例としてのＤＭＤ２２の一部の拡大図を示す。図示するように、ＤＭＤ２２は、ヒンジ２６に個々に取り付けられたマイクロミラー２４のアレイを有する。各マイクロミラー２４は、表示面１２に投影される画像の１つの画素に対応する。コントローラ１４（図２）は、所望の可視画像を示す画像信号をＤＬＰ１６に提供する。ＤＬＰ１６は、ＤＭＤ２２の各マイクロミラー２４に、画像信号に応じて表示面１２に全デジタル画像を生成するように光（Ｌ）を変調させる。詳細には、ＤＬＰ１６は、各マイクロミラー２４に対し、コントローラ１４からの画像信号に応じて光源１８（図２）からの光を繰返し方向付けさせ、マイクロミラーに関連する特定の画素を有効に「オン」及び「オフ」にする。これは、通常、カラーホイール２０の各色に対し１秒毎に何千回も行われる。所与のマイクロミラー２４が「オフ」より高い頻度で「オン」に切り替えられることにより、反射された光の色調（shade）が強くなり（predominate）、マイクロミラー２４が「オン」より高い頻度で「オフ」に切り替えられることにより、反射された光の色調が強くなくなる。表示面１２に画像フレームが投影される間にカラーホイール２０の基本色の異なる部分を混合することにより、表示面１２の各画素が、多くの異なる可視な色を帯びることができる。
【００１１】
本明細書では、ＤＬＰ１６を、ＤＭＤ２２を含むものとして説明したが、他の実施形態は、いくつか挙げると回折光デバイス（ＤＬＤ）、ＬＣＯＳ（liquid crystal on silicon）デバイス、プラズマディスプレイ及び液晶ディスプレイを含むことができる。当業者には他の空間光変調器及びディスプレイ技術が既知であり、それらは代わりに用いられることが可能であり、依然として本発明の精神及び範囲を満たすことができる。
【００１２】
物理的アイコンＤ1、Ｄn（図１及び図２）は、種々の形態をとることができる。一般に、各物理的アイコンは、外側ハウジングを有し、通常入力デバイスに統合される受信機及び送信機の両方を含む。受信機は、表示面１２を通してＤＬＰ１６から光信号を受信するように構成される光受信機である。たとえば、光受信機は、入力デバイスの底部に埋め込まれるフォトセル、フォトダイオード又は電荷結合素子（ＣＣＤ）等のフォトレセプタであってもよい。コントローラ１４にデータを送信するように構成される送信機は、無線周波数（Ｂｌｕｅｔｏｏｔｈ（商標）等のＲＦ）送信機、赤外線（ＩＲ）送信機、光送信機、コントローラへのハードワイヤード接続（コンピュータマウスに類似する）等を含む多くの形態をとることができる。物理的アイコンＤ1、Ｄnはまた、ポンティングデバイス（コンピュータマウス、ホワイトボードペン等）、ゲームピース等、種々の物理的形態をとることも可能である。物理的アイコンＤ1、Ｄnは、表示面上のそれらそれぞれの物理的場所等の入力情報を、それらのそれぞれの送信機を介してコントローラ１４に提供する。物理的アイコンＤ1、Ｄnは、後により詳細に説明するように、それぞれの受信機を介して、位置特定信号等の信号をＤＬＰ１６から受信するように構成される。実施形態によっては、物理的アイコンは、送信機及び受信機に加えて、受信機が受信した信号を解釈し且つそれに対して作用しコントローラ１４に情報を送信する際に送信機を駆動する或る種のプロセッサ等のコンポーネントを含んでもよい。さらに、別の実施形態では、各物理的アイコンは、一定の色又は強度の光のみを通過させる或る種の光フィルタを含んでもよく、それは、ＤＬＰから符号化された光信号を受け取るためにシステムと対話する場合に有益であり得る。
【００１３】
動作時、磁気記憶デバイス（ハードディスク等）、光記憶デバイス（ＣＤ−ＲＯＭ及びＤＶＤ等）、フラッシュメモリ、ローカルエリアネットワーク及びワイドエリアネットワーク（インターネット等）等を含む種々のソースのうちの１つから、コントローラ１４に画像データが提供される。コントローラ１４は、画像データを処理して、画像データによって表される可視画像を表示面１２に投影するようにＤＬＰ１６を制御する。コントローラ１４はまた、後により詳細に説明するように、ＤＬＰ１６に対し、サブリミナル光信号を表示面１２に投影させる。各物理的アイコンＤ1、Ｄnは、その物理的アイコンが配置されている表示面１２の画素（複数可）にサブリミナル光信号が送信されると、サブリミナル光信号を（物理的アイコンの光受信機を介して）受信するように構成される。各物理的アイコンＤ1、Ｄnは、ＩＲ、ＲＦ、光、ハードワイヤ等の種々のメカニズムを使用して、フィードバック信号をコントローラ１４に送信することができる。フィードバック信号が無線方法（たとえばＩＲ、ＲＦ、光等）を使用して通信される場合、コントローラ１４は、適当な受信機（図示せず）を介して無線信号を受信する。フィードバック信号が光学的に通信される場合、光受信機をシステムにおいて光変調デバイス（たとえばＤＭＤ）に対して軸外に配置してもよく、それによりフィードバック信号を、表示面１２を通して物理的アイコンから光受信機に光学的に通信することができる。
【００１４】
サブリミナル光信号を、さまざまな技法を使用して、人間の目に対しデジタル光画像を著しく劣化させることなくデジタル光画像が散在する表示面１２に投影させることができる。一実施形態では、サブリミナル光信号は、表示面１２の各画素に投影される。これを、たとえば、一実施形態においてＤＭＤ２２を使用して実施する場合にマイクロミラー２４の各々を個々に制御することによって達成することができる。表示面１２に投影される所与の画像フレームに対し、コントローラ１４は、画像フレームが画面に表示される期間のわずか一部を使用して、ＤＬＰ１６にサブリミナル光信号を投影させてもよく、それにより、その期間の残りの部分が、ＤＬＰ１６が所与の画素に対し適当な色を投影することによってそのフレームの所望の画像を生成するために残される。ここで、この方法についてより詳細に説明する。
【００１５】
図５Ａ及び図５Ｂに、例としてのカラーホイール２０（図４）の一回転を概略的に示す。例としての色（白、青、赤及び緑）の各々は、光源１８（図２）の正面を等しい時間逐次通過する。例として、カラーホイール２０が７２００ＲＰＭで回転している場合、各色は、１／１２０秒の１／４、光源１８の正面を通過する。表示システムによって投影される動画又はコンピュータグラフィックが３０フレーム／秒を含む場合、カラーホイールの各色は、各フレームに対して４回光源の正面を通過する（１２０回／秒）。図５Ａは、単一画素に対し青（カラーホイールの）が光源１８の正面を一回通過する場合の例としての画像信号を示す。図５Ａにおいて分かるように、コントローラ１４は、通常、所与の画素を「オン」と「オフ」との間で切り替えることにより、青の所望の色調を生成する。ＤＭＤ２２を採用するシステムでは、これは、青のカラーホイールが光源１８を遮って青の所望の色調を生成する時間の適当な部分で、所与の画素に関連するマイクロミラー２４（図３）を「オン」及び「オフ」にすることによって達成される。コントローラ１４は、同様に、カラーホイールの他の色の各々に対して所与の画素を「オン」と「オフ」との間で連続的に制御し、基本色の異なる色調を混合することによって所与の画素に対し正確な所望の色を生成する。
【００１６】
図５Ｂは、サブリミナル光信号を生成するために所与の画素に対して「オン」／「オフ」サイクルを変更する一例としての方法を示す。カラーホイールの青の色を再び例として挙げると、青が光源１８の正面にある期間を、２つの要素に分割することができる。すなわち、（ｉ）信号伝達期間及び（ｉｉ）データ期間である。信号伝達期間を使用して、物理的アイコンＤ1、Ｄnの光受信機が認識可能な一意の光「位置特定信号」を表示面１２に投影することができる。データ期間を使用して、表示面１２に所望の可視画像を生成するために適当な色の色調を投影することができる。一般に、可視画像の非常に著しい劣化を防止するために、信号伝達期間は、データ期間より短い期間を構成する。可視画像の著しい劣化を防止する他の方法も可能であり、それらは本発明の範囲及び精神の中にある。図５Ａ及び図５Ｂを合せて考慮すると、所与の画素の「オン」／「オフ」サイクルが、通常、特定のフレームの所与の画素に対し青の特定の色調を生成するために、図５Ａに示すパルス列に従って制御される場合、図５Ｂに従って、表示面１２に青の所望の色調を実際に投影する（データ期間中）前に、最初に表示面１２にサブリミナル光位置特定信号を送信する（信号伝達期間中）ように、「オン」／「オフ」サイクルを調整することができる。光位置特定信号は、たとえば物理的アイコンＤ1、Ｄnによって認識可能である、一意の周波数、デューティサイクル、位相、振幅又は色等、一意の信号であってもよい。物理的アイコンＤ1、Ｄnは、表示面１２の信号伝達画素の上に物理的に位置する場合、サブリミナル光信号を受信し、それに応じて、コントローラ１４にフィードバック信号を送信する。このように、コントローラ１４と物理的アイコンＤ1、Ｄnとの間の双方向通信を確立することができる。
【００１７】
上述した通信の方法を、さまざまな目的のために実施することができる。一実施形態では、この通信方法を、コントローラ１４が表示面１２上の物理的アイコンＤ1、Ｄnの物理的な位置を求めるために使用する。一般に、信号伝達期間中に一意の光位置特定信号を投影する方法を、物理的アイコンの各々のそれぞれの物理的な位置がそれぞれ求められるまで表示面１２の画素を「精査する（probe）」さまざまな繰返しアルゴリズムで実施することができる。表示面１２を「精査する」こうした方法の１つは以下の通りである。表示面１２の特定の領域に対し、コントローラ１４は、垂直列（「精査列」）の各画素に対し、表示面１２の一意の位置特定信号を同時に投影させることができる。異なる時に、コントローラ１４は、水平行（「精査行」）の各画素に対し、表示面１２に一意の位置特定信号を同時に投影させることができる。コントローラ１４は、垂直精査列及び水平精査行に対し、所定期間にわたって表示面１２上を規則正しく「移動」させることができる。たとえば、垂直精査列は、所与の領域の列の各々が位置特定信号によって精査されるまで、列１から列２まで等（すなわち、「列単位で」）「移動する」ことができる。同様に、水平精査行は、領域の行の各々が位置特定信号によって精査されるまで、行１から行２まで等（すなわち、「行単位で」）移動することができる。いつでも、単一行又は単一列のみが精査される。このため、たとえば、コントローラ１４は、青及び赤の色が光源の正面を通過するたびに後続する列が精査されるようにし、白及び緑の色が光源の正面を通過するたびに後続する行が精査されるようにすることができる。物理的アイコンＤ1、Ｄnが精査信号を受信するたびに、受信した物理的アイコンは、その物理的アイコンのＩＤを示す一意のフィードバック信号をコントローラ１８に送信する。物理的アイコンがその一意のフィードバック信号（物理的アイコンがその信号伝達画素の上に物理的に位置していたことを示す）をコントローラ１４に送信するたびに、コントローラ１４は、それぞれの表示面座標を記録する。表示面１２上の物理的アイコンＤ1、Ｄnの各々に対して記録された水平座標及び垂直座標を相関させることにより、各物理的アイコンの物理的位置をコントローラ１４が一意に求めることができる。
【００１８】
実施形態によっては、表示面１２全体が、物理的アイコンＤ1、Ｄnのすべての位置が特定されるまで、規則正しく、すなわち列毎に且つ行毎に精査される。他の実施形態では、精査の効率を向上させるために、上述した方法を他の精査方法とともに使用することができる。たとえば図７に示すように、表示面１２を、複数の初期探索領域に分割してもよい。図７では、表示面を例として４つの象限に分割する。４つの象限の各々の画素のすべてを、まず、一度に１象限（すなわち、「象限毎に」又は「領域毎に」）同時に精査することができる。コントローラ１４は、所与の象限の画素が精査される時にいかなるフィードバック信号も受信しない場合、表示面の物理的アイコンＤ1、Ｄnのいずれもその象限に物理的に位置していないことが分かる。その後、コントローラ１４が表示面１２の列単位または行単位の精査を実施する場合、行及び／又は列のいくつかのグループを精査する必要がなくてもよく（特定の象限に物理的アイコンＤ1、Ｄnが位置していないことが分かる場合）、それにより、必要な精査時間が縮小し、アルゴリズムの効率が向上する。表示面１２の物理的アイコンＤ1、Ｄnの位置を特定するいかなる方法が使用される場合も、それは、ユーザが表示面１２で物理的アイコンを移動させるに従い物理的アイコンを追跡するために通常連続的に繰り返される。
【００１９】
上述した実施形態では、表示面１２は、表示面に投影される各色の信号伝達期間中に、表示面１２に一意の位置特定信号を投影することによって精査され、特定の色の実際の所望の色調は、データ期間中に表示面１２に投影される。この方法は、表示面１２を精査するために効果があり、物理的アイコンが精査されている画素（複数可）を覆っていない場合に特に有用である。上述した方法により、信号伝達された画素に投影されている色は著しく変化することはなく、また表示面に投影された画像全体も著しく劣化しない。そのため、ユーザは、画像の劣化に気付くことはない。しかしながら、実施形態によっては、表示面１２に物理的アイコンが配置された後、コントローラ１４が物理的アイコンＤ1、Ｄnに対して他のデータを通信することが望ましい。コントローラ１４から物理的アイコンＤ1、Ｄnへの後続するデータ通信が望ましい場合、コントローラ１４は、データ期間中に、信号伝達された画素に表示される所望の色に対応しないデータ信号を物理的アイコンＤ1、Ｄnに投影することができる。データ期間を使用して表示面に所望の色を投影する代わりに物理的アイコンＤ1、Ｄnにデータ信号を通信することにより、実際には、表示面１２の可視画像が著しく変化する可能性がある。しかしながら、データ信号を受信する物理的アイコンＤ1、Ｄnは、必然的に視界から信号伝達画素を覆っており、それにより画像の変更された部分はユーザの視界から隠される。したがって、表示面上の画像のこうした変更は、ユーザが変更された部分を見ることができないため、画像に対するユーザの印象に影響を与えない。
【００２０】
本発明を、特に、上述した好ましい実施形態及び代替実施形態に関連して示し説明したが、当業者には、本明細書で説明した本発明の実施形態に対するさまざまな代替形態を、以下の特許請求の範囲で規定されるような本発明の精神及び範囲から逸脱することなく本発明を実施するために採用してもよい、ということが理解されるはずである。以下の特許請求の範囲は本発明の範囲を規定し、これら特許請求の範囲及びそれらの均等物の範囲内にある方法及び装置はそれによって包含される、ということが意図されている。本発明のこの説明は、本明細書で説明した要素の新規且つ非自明な組合せをすべて含むように理解されるべきであり、これらの要素の任意の新規且つ非自明な組合せに対する請求は、本出願又は後願において提示され得るものである。上述した実施形態は例示的なものであり、いかなる単一の特徴又は要素も、本出願又は後願において請求される可能性のあるあり得るすべての組合せに対して必須ではない。請求項にその均等物の「１つの」又は「第１の」要素が列挙されている場合、こうした請求項は、２つ以上のこうした要素を必要とすることも排除することもなく、１つ又は複数のこうした要素を組み込むことを包含するように理解されなければならない。
【図面の簡単な説明】
【００２１】
【図１】一実施形態による対話型表示システムを示す図である。
【図２】図１の対話型表示システムの一実施形態で使用される例としてのデジタルライトプロジェクションシステム、コントローラ及び表示面の概略図である。
【図３】図１及び図２に示す対話型表示システムで使用される、一実施形態によるデジタルライトプロセッサで使用される例としてのデジタルマイクロミラーデバイスの一部拡大図である。
【図４】一実施形態によるデジタルライトプロジェクションシステムで使用される例としてのカラーホイールを示す図である。
【図５Ａ】カラーホイール上の青の色が一度通過した場合の例としての画像信号を示す図である。
【図５Ｂ】信号伝達期間及びデータ期間を示す、カラーホイール上の青の色が一度通過した場合の例示的な変更された画像信号を示す図である。
【図６】表示面と、表示面の上の物理的アイコンの位置を求めるために使用される垂直精査列及び水平精査列とを示す図である。
【図７】表示面上の物理的アイコンの位置を求める説明した方法を改良する４つの、例としての象限に分割された表示面を示す図である。
【符号の説明】
【００２２】
１０：デジタルライトプロジェクションシステム
１２：表示面
【図１】
2008500587.tif 000003
【図２】
2008500587.tif 000004
【図３】
2008500587.tif 000005
【図４】
2008500587.tif 000006
【図５Ａ】
2008500587.tif 000007
【図５Ｂ】
2008500587.tif 000008
【図６】
2008500587.tif 000009
【図７】
2008500587.tif 000010
【国際調査報告】
2008500587.tif 000011
2008500587.tif 000012
2008500587.tif 000013